(57)【特許請求の範囲】
【請求項１】
送信信号を生成する信号生成部と、
前記送信信号を複数のアンテナに分配し、前記複数のアンテナを介して前記送信信号を送信する信号分配部と、を有する送信機と、
送信された複数の前記送信信号を受信する信号受信部と、
前記複数の送信信号を合成してクロック信号を再生するクロック再生部と、
前記クロック信号に同期して前記複数の送信信号を合成することでフレームパルス信号を生成するフレーム同期部と、を有する受信機と、を備える無線通信システム。
【請求項２】
前記信号生成部は、
前記送信信号のフレーム構成を決定するフレーム構成部と、前記フレーム構成が決定された送信信号を変調する変調部と、を有し、
前記信号分配部は、
前記変調部から出力された前記送信信号を前記複数のアンテナに分配する、請求項１に記載の無線通信システム。
【請求項３】
前記クロック再生部は、
前記複数の送信信号を加算して前記クロック信号を再生する、請求項１又は２に記載の無線通信システム。
【請求項４】
前記受信機は、
前記クロック再生部において再生された前記クロック信号をサンプリングクロックとして、アナログ信号として送信された前記複数の送信信号をデジタル信号へ変換するアナログデジタル変換部をさらに備える、請求項１乃至３のいずれか１項に記載の無線通信システム。
【請求項５】
前記フレーム同期部は、
前記クロック信号に同期して前記複数の送信信号を加算することで前記フレームパルス信号を生成する、請求項１乃至４のいずれか１項に記載の無線通信システム。
【請求項６】
前記受信機は、
前記フレームパルス信号を用いて前記複数の送信信号を復調する復調部をさらに備える、請求項５に記載の無線通信システム。
【請求項７】
前記受信機は、
前記復調された複数の送信信号の中から受信品質に基づいて、復調された信号を処理する信号処理回路へ出力する送信信号を選択する信号選択部をさらに備える、請求項６に記載の無線通信システム。
【請求項８】
生成された送信信号が分配され、複数のアンテナを介して送信された複数の前記送信信号を受信する信号受信部と、
前記複数の送信信号を合成してクロック信号を再生するクロック再生部と、
前記クロック信号に同期して前記複数の送信信号を合成することでフレームパルス信号を生成するフレーム同期部と、を有する受信機。
【請求項９】
生成された送信信号が分配され、複数のアンテナを介して送信された複数の前記送信信号を受信し、
前記複数の送信信号を合成してクロック信号を生成し、
前記クロック信号に同期して前記複数の送信信号を合成することでフレームパルス信号を生成する、フレーム同期方法。
【請求項１０】
生成された送信信号が分配され、複数のアンテナを介して送信された複数の前記送信信号を合成してクロック信号を再生するステップと、
前記クロック信号に同期して前記複数の送信信号を合成することでフレームパルス信号を生成するステップと、をコンピュータに実行させるプログラム。
【発明の詳細な説明】
【技術分野】
【０００１】
本発明は送信機と受信機とを備える無線通信システムに関し、特に受信機において受信したデータを用いてクロック信号を再生する無線通信システムに関する。
【背景技術】
【０００２】
一般的に、屋外等の放送局外における映像等を放送局へ伝送する放送中継を行う際に、ＦＰＵ（Field Pickup Unit）送受信装置を用いて映像等のデータが中継される。ＦＰＵ送受信装置は、移動体として用いられる場合が多く、このようなＦＰＵ送受信装置を可搬型ＦＰＵ装置と称する。可搬型ＦＰＵ装置は、放送中継を行う際に回線の冗長性を確保するために、ダイバーシティ受信を行う場合がある。
【０００３】
特許文献１には、安定したクロック再生を行うためのダイバーシティ受信器の構成が開示されている。特許文献１に開示されているダイバーシティ受信器は、複数のブランチとダイバーシティクロック再生部と、を有している。さらに、それぞれのブランチは、Ａ／Ｄ変換器を有している。ダイバーシティクロック再生部は、それぞれのＡＤ変換器から出力される受信サンプル値信号を受け取り、それぞれの受信サンプル値信号を合成することによりクロック再生を行う。
【０００４】
特許文献２には、ガードインターバル期間を超えて遅延した信号等の信号合成を可能とするＯＦＤＭダイバーシティ受信機の構成が開示されている。
【先行技術文献】
【特許文献】
【０００５】
【特許文献１】特開２００６−３２５０７７号公報
【特許文献２】特開平１０−１０７７７７号公報
【発明の概要】
【発明が解決しようとする課題】
【０００６】
ＦＰＵ装置に用いられるダイバーシティ送受信装置は、今後の高速通信や、高無線品質を維持した通信等を実現するために、現在よりも、受信データの同期範囲をさらに改善することが求められている。受信データの同期範囲を改善し、拡張することにより、ダイバーシティ送受信装置を用いたデータの受信品質を向上させるためである。
【０００７】
本発明は、このような問題を解決するために、同期範囲を拡張することができる無線通信システム、受信機、フレーム同期方法及びプログラムを提供することを目的とする。
【課題を解決するための手段】
【０００８】
本発明の第１の態様にかかる無線通信システムは、送信信号を生成する信号生成部と、前記送信信号を複数のアンテナに分配し、前記複数のアンテナを介して前記送信信号を送信する信号分配部と、を有する送信機と、送信された複数の前記送信信号を受信する信号受信部と、前記複数の送信信号を合成してクロック信号を再生するクロック再生部と、前記クロック信号に同期して前記送信機から送信された複数の送信信号を合成してフレームパルス信号を生成するフレーム同期部と、を有する受信機と、を備えるものである。
【０００９】
本発明の第２の態様にかかる受信機は、生成された送信信号が分配され、複数のアンテナを介して送信された複数の前記送信信号を受信する信号受信部と、前記複数の送信信号を合成してクロック信号を再生するクロック再生部と、前記クロック信号に同期して前記送信された複数の送信信号を合成してフレームパルス信号を生成するフレーム同期部と、を有するものである。
【００１０】
本発明の第３の態様にかかるフレーム同期方法は、生成された送信信号が分配され、複数のアンテナを介して送信された複数の前記送信信号を受信し、前記複数の送信信号を合成してクロック信号を生成し、前記クロック信号に同期して前記送信された複数の送信信号を合成してフレームパルス信号を生成するものである。
【００１１】
本発明の第４の態様にかかるプログラムは、生成された送信信号が分配され、複数のアンテナを介して送信された複数の前記送信信号を合成してクロック信号を再生するステップと、前記クロック信号に同期して前記送信された複数の送信信号を合成してフレームパルス信号を生成するステップと、をコンピュータに実行させるものである。
【発明の効果】
【００１２】
本発明により同期範囲を拡張することができる無線通信システム、受信機、フレーム同期方法及びプログラムを提供することができる。
【図面の簡単な説明】
【００１３】
【図１】実施の形態１にかかる送信機の構成図である。
【図２】実施の形態１にかかる受信機の構成図である。
【図３】実施の形態１にかかる信号生成部の構成図である。
【図４】実施の形態１にかかる送信高周波部の構成図である。
【図５】実施の形態１にかかる受信部の構成図である。
【図６】実施の形態１にかかるクロック再生部及びフレーム同期部の構成図である。
【図７】実施の形態１にかかるフレーム同期部より後段の受信機の構成図である。
【図８】実施の形態１にかかる送信機の信号送信処理のフローチャートである。
【図９】実施の形態１にかかる受信機のクロック再生処理のフローチャートである。
【図１０】実施の形態１にかかる受信機のデータ復調処理のフローチャートである。
【発明を実施するための形態】
【００１４】
（実施の形態１）
以下、図面を参照して本発明の実施の形態について説明する。本発明の実施の形態１にかかる無線通信システムは、送信機１０と受信機２０とから構成される。図１を用いて本発明の実施の形態１にかかる送信機の構成例について説明する。
【００１５】
送信機１０は、信号生成部１１と、信号分配部１２と、アンテナ１３及び１４と、を備えている。信号生成部１１は、送信機１０と対向する受信機２０へ送信する送信信号を生成する。送信信号は、送信データ、送信フレーム、送信パケット又はキャリア信号等と称されてもよい。
【００１６】
信号分配部１２は、信号生成部１１において生成された送信信号をアンテナ１３及び１４に分配し、アンテナ１３及び１４を介して送信信号を受信機２０へ送信する。例えば、信号分配部１２は、信号生成部１１において生成された送信信号を複製し、アンテナ１３及び１４へ出力してもよい。このようにすることにより、例えば、１系及び２系の信号生成部が送信機１０に備えられており、一方のアンテナが１系の信号生成部において生成された送信信号を受信機２０へ送信し、他方のアンテナが２系の信号生成部において生成された送信信号を受信機２０へ送信する場合と異なり、アンテナ１３及び１４は、同一の信号生成部において生成された同一の信号を受信機２０へ送信することができる。例えば、アンテナ１３及び１４から送信される信号は、ひとつの信号生成部１１を用いて生成されているため、同一のシステムクロックを有する。
【００１７】
また、本図においては、アンテナを２つ備える送信機１０の構成例について説明したが、アンテナは２つに制限されるものではなく、２つ以上備えられてもよい。
【００１８】
続いて、図２を用いて本発明の実施の形態１にかかる受信機２０の構成例について説明する。受信機２０は、アンテナ２１及び２２と、受信部２３及び２４と、クロック再生部２５と、フレーム同期部２６とを備えている。本図における受信機２０は、アンテナを２つ備える構成例について説明するが、送信機１０と同様、アンテナは２つに制限されるものではなく、２つ以上備えられてもよい。
【００１９】
受信部２３は、アンテナ２１を介して、送信機１０から送信された送信信号を受信する。同様に、受信部２４は、アンテナ２２を介して、送信機１０から送信された送信信号を受信する。例えば、受信部２３は、送信機１０のアンテナ１３から送信された信号を受信し、受信部２４は、送信機１０のアンテナ１４から送信された信号を受信するようにしてもよい。本図においては、受信部２３及び２４は、物理的に分離された装置又は回路等として説明しているが、一つの受信部がアンテナ２１及び２２を介して送信機１０から送信された送信信号を受信するようにしてもよい。
【００２０】
クロック再生部２５は、受信部２３及び２４において受信された複数の信号を合成してクロック信号を再生する。クロック再生部２５は、合成した信号の信号遷移を検出することにより、クロック信号を再生する。信号遷移とは、例えば、信号の振幅が、所定の振幅値を下回る値から、所定の振幅値を上回る値へ遷移すること、もしくは、所定の振幅を上回る値から、所定の振幅を下回る値へ遷移することである。ここで、クロック再生部２５は、複数の信号を合成する手段として加算器を用いて、複数の信号を加算するようにしてもよい。クロック再生部２５において加算される信号は、送信機１０の信号分配部１２において複製された信号であるため、それぞれ同一の信号である。
【００２１】
クロック再生部２５は、それぞれ同一の信号を合成するため、受信部２３もしくは２４から出力される信号を用いて個別にクロック再生を行う場合と比較して、相関ピークが２倍となるクロック信号を再生することができる。
【００２２】
フレーム同期部２６は、クロック再生部２５において再生されたクロック信号に同期して、受信部２３及び２４から出力される信号を合成し、フレームパルス信号を生成する。フレームパルス信号は、フレーム同期を行う際に用いられる信号であり、例えばフレームの先頭タイミングを示す信号である。
【００２３】
以上説明したように、図１の送信機１０及び図２の受信機２０から構成される無線システムにおいては、送信機１０が複数の同一の信号を受信機２０に対して送信する。そのため、受信機２０は、受信した複数の同一の信号を合成もしくは加算してクロック再生を行うことにより、単一の信号を用いてクロック再生を行う場合と比較して相関ピークの高いクロック信号を得ることができる。このようにして得られたクロック信号を用いてフレーム同期を行うことにより、単一の信号から得られるクロック信号を用いてフレーム同期を行う場合と比較して、同期範囲を拡張することができる。
【００２４】
続いて、図３を用いて本発明の実施の形態１にかかる信号生成部１１の構成例について説明する。信号生成部１１は、マッピング部３１と、ＯＦＤＭフレーム構成部３２と、ＩＦＦＴ部３３と、ＧＩ付加部３４と、直交変調部３５と、を備えている。
【００２５】
マッピング部３１は、トランスポートストリーム（ＴＳ）を受け取り、ＩＱデータにマッピングする。ＴＳは、ＭＰＥＧ−２システムにおいて規定されているデータ形式であり、映像データ等を送信するために用いられる。また、ＴＳの代わりに、ＭＰＥＧ−２システムにおいて規定されているプログラムストリーム（ＰＳ）が、マッピング部３１に入力されてもよい。もしくは、その他の規格において規定されているデータ形式のデータが、マッピング部３１に入力されてもよい。
【００２６】
ＩＱデータとは、例えば、横軸を実数部、縦軸を虚数部とする複素平面にてあらわされるデータである。マッピング部３１は、ＴＳを複素平面上にマッピングする。複素平面上にマッピングされる数等は、用いられる直交位相振幅変調方式等により異なる。例えば、直交位相振幅変調方式として、１６ＱＡＭや、６４ＱＡＭ等がある。マッピング部３１は、複素平面にマッピングされたＩＱデータを、ＯＦＤＭフレーム構成部３２へ出力する。
【００２７】
ＯＦＤＭフレーム構成部３２は、マッピング部３１から出力されたＩＱデータと、ＣＰ（Continual Pilot）、ＴＭＣＣ（Transmission and Multiplex Configuration Control）及びＡＣ（Auxiliary Channel）等のパイロット信号とをキャリア配列し、フレームデータを生成する。受信機２０は、これらのパイロット信号を用いて同期等の制御を行う。ＯＦＤＭフレーム構成部３２は、生成したフレームデータをＩＦＦＴ部３３へ出力する。
【００２８】
ＩＦＦＴ部３３は、ＯＦＤＭフレーム構成部３２から出力されたフレームデータを逆フーリエ変換（ＩＦＦＴ）することにより、周波数軸上に並べられたフレームデータを、時間軸上に並べられたフレームデータへ変換する。また、ガードインターバル（ＧＩ）付加部３４は、ＩＦＦＴ部３３において変換されたフレームデータに対して、ガードインターバルを付加する。ＧＩ付加部３４は、ガードインターバルを付加したフレームデータを直交変調部３５へ出力する。
【００２９】
ガードインターバルは、受信機２０においてデータの受信タイミングの遅延を許容する期間である。即ち、受信機２０は、ガードインターバル内に遅延波を受け取った場合、ガードインターバル内に受け取った複数の信号が互いに干渉することなくデータを復調することができる。
【００３０】
直交変調部３５は、実数部と虚数部とを有するフレームデータを用いて直交変調する。直交変調部３５は、実数部を示す正弦波と、実数部を示す正弦波と９０度位相が異なり虚数部を示す正弦波と、を合成して送信信号を生成する。
【００３１】
続いて、図４を用いて本発明の実施の形態１にかかる送信高周波部４０の構成例について説明する。送信高周波部４０は、送信機１０において無線周波数を有する信号を処理する機能を有する。送信高周波部４０は、アップコンバータ部４２及び４３と、パワーアンプ部４４及び４５と、アンテナ４６及び４７と、を備えている。
【００３２】
アップコンバータ部４２及び４３は、信号分配部１２から出力された送信信号を受け取る。アップコンバータ部４２及び４３において受け取る送信信号は、信号生成部１１において生成された送信信号を信号分配部１２において複製しているため、同一の信号である。アップコンバータ部４２及び４３は、受け取った送信信号をアップコンバートして無線周波数（ＲＦ）を有する送信信号を生成する。信号分配部１２から出力される信号は、送信機１０内部において信号処理をするために、中間周波数（ＩＦ）を有する信号が用いられる。中間周波数は、それぞれの装置において規定されている。無線周波数帯（ＲＦ）の信号は、送信機１０と受信機２０との間の無線通信に用いられる高周波信号であり、例えば、数百ＭＨｚ〜数ＧＨｚ等の周波数を有する信号である。
【００３３】
また、アップコンバータ部４２から出力される送信信号と、アップコンバータ部４３から出力される送信信号とが干渉するのを回避するために、アップコンバータ部４３から出力される送信信号の周波数は、アップコンバータ部４２から出力される送信信号の周波数と異なるように、アップコンバータ部４２及び４３においてそれぞれの送信信号をアップコンバートする。アップコンバータ部４２は、アップコンバートした送信信号をパワーアンプ部４４へ出力し、アップコンバータ部４３は、アップコンバートした送信信号をパワーアンプ部４５へ出力する。
【００３４】
パワーアンプ部４４及び４５は、アップコンバータ部４２及び４３から出力された送信信号を増幅し、アンテナ４６及び４７へ出力する。アンテナ４６及び４７は、パワーアンプ部４４及び４５において増幅された送信信号を送信機１０へ送信する。
【００３５】
続いて、図５を用いて本発明の実施の形態１にかかる受信部２３の構成例について説明する。受信部２４は、受信部２３と同じ構成であるため、詳細な説明を省略する。受信部２３は、ダウンコンバータ部５２と、ＡＤ変換部５３と、直交復調部５４と、を備えている。
【００３６】
ダウンコンバータ部５２は、送信機１０からアンテナ２１を介して受け取った高周波（ＲＦ）信号をダウンコンバートして中間周波数（ＩＦ）信号を生成する。ダウンコンバータ部５２は、生成したＩＦ信号をＡＤ変換部５３へ出力する。
【００３７】
ＡＤ変換部５３は、ダウンコンバータ部５２から出力されたアナログ信号であるＩＦ信号をデジタル信号へ変換する。ＡＤ変換部５３は、ＩＦ信号をアナログ信号からデジタル信号へ変換する際に、サンプリングクロックとしてクロック再生部２５において再生されたクロック信号を用いる。クロック再生部２５の詳細な構成例については後に詳述する。ＡＤ変換部５３は、クロック再生部２５において再生されたクロック信号を用いてデジタルデータへ変換した信号を直交復調部５４へ出力する。
【００３８】
直交復調部５４は、ＡＤ変換部５３から出力された信号を直交復調して、ＩＱデータを生成する。直交復調部５４は、直交復調したデータをクロック再生部２５へ出力する。
【００３９】
続いて、図６を用いて本発明の実施の形態１にかかるクロック再生部２５及びフレーム同期部２６の構成例について説明する。クロック再生部２５は、加算部６１と、クロック同期部６２とを備えている。
【００４０】
加算部６１は、受信部２３及び２４から出力された信号を加算する。受信部２３及び２４から出力される信号は、送信機１０の信号分配部１２において複製された信号であるため、同一の信号である。加算部６１は、同一の周期及び同一のピーク位置等を有する信号を加算することにより、受信部２３もしくは２４から出力された信号と比較して、相関ピークが２倍となる信号を得ることができる。加算部６１は、二つの信号を加算することにより得られた信号をクロック同期部６２へ出力する。
【００４１】
クロック同期部６２は、加算部６１から出力された信号を用いてクロック信号を再生する。加算部６１から出力された信号は、受信部２３もしくは２４から出力された信号と比較して、相関ピークが２倍となる信号であるため、受信部２３もしくは２４から出力された信号を用いる場合と比較して高精度にクロック信号を再生することができる。クロック同期部６２は、再生したクロック信号を受信部２３のＡＤ変換部５３及び受信部２４のＡＤ変換部へ出力するとともにフレーム同期部２６の加算部７３へも出力する。
【００４２】
続いて、フレーム同期部２６は、ローカル同期部７１及び７２と、加算部７３と、パルス信号生成部７４とを備えている。ローカル同期部７１は、受信部２３から出力される信号を受け取り、ローカル同期部７２は、受信部２４から出力される信号を受け取る。ローカル同期部７１は、ダウンコンバータ部５２においてＲＦ信号からＩＦ信号へダウンコンバートが行われた際に発生する、ダウンコンバート後の周波数と所望の中間周波数との誤差を補正する。ローカル同期部７２も同様に、受信部２４内においてダウンコンバートが行われた際に発生する、ダウンコンバート後の周波数と所望の中間周波数との誤差を補正する。ローカル同期部７１及び７２は、補正後の信号をそれぞれ加算部７３へ出力するとともに後段のＦＦＴ部８１及び８２へ出力する。
【００４３】
加算部７３は、ローカル同期部７１及び７２から周波数誤差を補正した後の補正信号を受け取る。さらに、加算部７３は、クロック同期部６２から、クロック信号を受け取る。加算部７３は、クロック同期部６２から受け取ったクロック信号に同期して、ローカル同期部７１及び７２から受け取った補正信号を加算する。加算部７３は、加算した信号をパルス信号生成部７４へ出力する。
【００４４】
上述したように加算部７３が、クロック同期部６２から受け取ったクロック信号に同期して、ローカル同期部７１及び７２から受け取った信号を加算することにより、ローカル同期部７１及び７２から出力される補正信号の位相をそろえることができる。さらに、位相の揃った信号を加算することにより、相関ピークを向上させることができる。
【００４５】
パルス信号生成部７４は、加算部７３において加算された信号を用いて、フレームの先頭タイミングを示すフレームパルスを生成する。パルス信号生成部７４は、上述したように相関ピークが向上された信号に基づいて再生されたクロック信号を用いて、フレームパルスを生成することにより、ローカル同期部７１及び７２から出力された信号の遅延差を解消することができる。そのため、ローカル同期部７１及び７２から出力された信号のピーク位置等を高精度に合わせることができるため、同期範囲を改善もしくは拡張することができる。このように同期範囲を拡張することにより、送信機１０から送信された信号を高精度に復調することができる。パルス信号生成部７４は、生成したフレームパルスを後段のＦＦＴ部８１及び８２へ出力する。
【００４６】
続いて、図７を用いて本発明の実施の形態１にかかるフレーム同期部２６より後段の受信機２０の構成例について説明する。
【００４７】
受信機２０は、フレーム同期部２６の後段に、ＦＦＴ部８１及び８２と、復調部８３及び８４と、ＴＳ選択部８５とを備えている。ＦＦＴ部８１は、ローカル同期部７１から出力される信号を受け取るとともに、パルス信号生成部７４から出力されるフレームパルスを受け取る。ＦＦＴ部８２も同様に、ローカル同期部７２から出力される信号を受け取るとともにパルス信号生成部７４から出力されるフレームパルスを受け取る。
【００４８】
ＦＦＴ部８１及び８２は、ローカル同期部７１及び７２から出力された信号をフーリエ変換（ＦＦＴ）し、時間軸上に並べられたデータを、周波数軸上に並べられたデータへ変換する。ＦＦＴ部８１及び８２は、フーリエ変換後のデータを復調部８３及び８４へ出力する。復調部８３及び８４は、ＦＦＴ部８１及び８２から受け取ったデータを復調し、それぞれＴＳ選択部８５へ出力する。
【００４９】
ＴＳ選択部８５は、復調部８３及び８４から受け取ったデータのうち、品質の良いデータを選択して、受信機２０内の他の回路へ出力する。例えば、品質の良いデータは、復調部８３及び８４から受け取ったデータのうちエラーが含まれないデータもしくは含まれるエラーが少ないデータであってもよい。また、ＴＳ選択部８５に入力されるそれぞれのデータは、クロック再生部２５において再生されたクロック信号を用いてＡＤ変換される。そのため、復調部８３及び８４から出力され、ＴＳ選択部８５へ入力されるそれぞれのデータは、遅延差が少ない。そのため、ＴＳ選択部８５は、入力されるデータを保持するためのバッファの容量を少なくすることができる。
【００５０】
続いて、図８を用いて本発明の実施の形態１にかかる送信機１０の信号送信処理の流れについて説明する。はじめに、信号生成部１１は、受信機２０へ送信するための送信信号を生成する（Ｓ１１）。次に、信号分配部１２は、信号生成部１１において生成された送信信号を、アンテナ１３及び１４へ分配する（Ｓ１２）。例えば、信号分配部１２は、信号生成部１１において生成された送信信号を複製し、アンテナ１３及び１４へ出力してもよい。次に、アンテナ１３及び１４は、信号分配部１２から出力された送信信号を受信機２０へ送信する（Ｓ１３）。
【００５１】
続いて、図９を用いて本発明の実施の形態１にかかる受信機２０のクロック再生処理の流れについて説明する。はじめに、受信部２３及び２４は、送信機１０から送信信号を受け取ったか否かを判定する（Ｓ２１）。受信部２３及び２４は、送信機１０から送信信号を受け取っていないと判定した場合、処理を終了する。受信部２３及び２４は、送信機１０から送信信号を受け取ったと判定した場合、受け取った送信信号をデジタルデータへ変換する（Ｓ２２）。
【００５２】
次に、クロック再生部２５は、受信部２３及び２４から出力されたデジタルデータを加算した加算データを用いてクロック信号を生成する（Ｓ２３）。次に、クロック再生部２５は、受信部２３及び２４のＡＤ変換部５３に対して、クロック信号を出力する（Ｓ２４）。次に、ステップＳ２１以降の処理を繰り返す。このようにして、ＡＤ変換を行う際に、クロック再生部２５において再生されたクロック信号をＡＤ変換部５３へフィードバックして用いることができる。また、クロック再生部２５においてクロック信号が再生される前に、ＡＤ変換部５３においてＡＤ変換を実行する場合、サンプリングクロックとして予め定められたクロックを用いてＡＤ変換を実施してもよい。
【００５３】
続いて、図１０を用いて本発明の実施の形態１にかかる受信機２０のデータ復調処理の流れについて説明する。ステップＳ３１〜Ｓ３３は、図９のステップＳ２１〜２３と同様であるため、詳細な説明を省略する。
【００５４】
フレーム同期部２６は、クロック再生部２５において生成されたクロック信号に同期して、受信部２３及び２４から出力されたデジタルデータを加算し、フレームパルスを生成する（Ｓ３４）。次に、ＦＦＴ部８１及び８２は、受信部２３及び２４から出力されたデジタルデータをフレームパルスに基づいてフレーム同期し、ＦＦＴ変換を行う。さらに、復調部８３及び８４は、ＦＦＴ変換されたデータを用いてデータ復調を行う（Ｓ３５）。
【００５５】
以上説明したように、本発明の実施の形態１にかかる送信機１０を用いることにより、受信機２０は、信号生成部１１において生成された複数の信号を受け取ることができる。これらの複数の信号は、全て同一の信号である。そのため、受信機２０において、送信機１０から送信された信号を加算して高精度なクロック信号を再生することができる。その際に、クロック再生部２５及びフレーム同期部２６は、異なるアンテナから受信したデータに対して共通化して用いられる。これにより、例えば、受信機２０において、ＩＦ信号を処理する受信部２３及び受信部２４のＡＤ変換部以降の回路を、１つの装置内もしくはチップ内に構成することができる。そのため、受信機２０の構成を簡略化することができる。
【００５６】
なお、本発明は上記実施の形態に限られたものではなく、趣旨を逸脱しない範囲で適宜変更することが可能である。
【００５７】
例えば、上述の実施の形態では、ハードウェアの構成として説明したが、これに限定されるものではなく、図１０のステップＳ３３及び３４の処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５８】
１０  送信機
１１  信号生成部
１２  信号分配部
１３  アンテナ
１４  アンテナ
２０  受信機
２１  アンテナ
２２  アンテナ
２３  受信部
２４  受信部
２５  クロック再生部
２６  フレーム同期部
３１  マッピング部
３２  ＯＦＤＭフレーム構成部
３３  ＩＦＦＴ部
３４  ＧＩ付加部
３５  直交変調部
４０  送信高周波部
４２  アップコンバータ部
４３  アップコンバータ部
４４  パワーアンプ部
４５  パワーアンプ部
４６  アンテナ
４７  アンテナ
５２  ダウンコンバータ部
５３  ＡＤ変換部
５４  直交復調部
６１  加算部
６２  クロック同期部
７１  ローカル同期部
７２  ローカル同期部
７３  加算部
７４  パルス信号生成部
８１  ＦＦＴ部
８２  ＦＦＴ部
８３  復調部
８４  復調部
８５  ＴＳ選択部
【図１】
0005799702.tif 000002
【図２】
0005799702.tif 000003
【図３】
0005799702.tif 000004
【図４】
0005799702.tif 000005
【図５】
0005799702.tif 000006
【図６】
0005799702.tif 000007
【図７】
0005799702.tif 000008
【図８】
0005799702.tif 000009
【図９】
0005799702.tif 000010
【図１０】
0005799702.tif 000011